(57)【特許請求の範囲】
【請求項１】
デジタルカメラのレンズ鏡筒最前部の外径部に装着されレンズ鏡筒最前部に固着可能なリング形状のアダプター枠はレンズ鏡筒最前部の外径を覆う形状を有しており、該リング形状のアダプター枠外径部の外周上にはフィルター枠係合用突起部と溝部を設けており、また前記アダプター枠に装着されるフィルター枠の対向面にはアダプター枠のフィルター枠係合用突起部と溝部に嵌合する内径部突起を内蔵するフィルター枠装着部とフィルターレンズを挟持するフィルター枠本体が一体化されており、前記フィルター枠本体のフィルター枠装着部はレンズ鏡筒最前部の外径を覆うようにキャッピィングする構成として前記レンズ鏡筒最前部の口径よりフィルター枠のフィルターレンズ口径を大きく形成し、前記アダプター枠のフィルター枠係合用突起部と溝部はフィルター枠のフィルター枠装着部の内径部突起に嵌合してアダプター枠前面に口径の大きなフィルター枠を着脱自在に装着することを特徴とするデジタルカメラ用のフィルター枠。
【請求項２】
前記アダプター枠外径部の外周上に設けられるフィルター枠係合用突起部と溝部の形状はアダプター枠外径部の外周上に設けられる断面半円形状の突起と凹部溝の組み合わせであり、該アダプター枠外径部の外周上に設けられるフィルター枠係合用突起部と溝部に嵌合するフィルター枠装着部の内径部突起は断面半円形状の突起でフィルター枠装着部の内径部の全周に連続して突出しているかまたは２カ所から３カ所程度の部分的に突出した内径部突起であることを特徴とする請求項１に記載のデジタルカメラ用のフィルター枠。
【請求項３】
前記アダプター枠外径部の外周上に設けられるフィルター枠係合用突起部と溝部の形状はアダプター枠外径部の外周上に設けられる断面テーパー状の突起と係合溝の組み合わせであり、該アダプター枠外径部の全周に連続して突出しているかまたは２カ所から３カ所程度の部分的に突出した外径部突起で構成され、該アダプター枠外径部の外周上に設けられるテーパー状の突起と係合溝に嵌合するフィルター枠装着部の内径部突起は断面半円形状の突起でフィルター枠装着部の内径部の全周に連続して突出した内径部突起であることを特徴とする請求項１に記載のデジタルカメラ用のフィルター枠。
【請求項４】
前記アダプター枠並びにフィルター枠装着部とフィルター枠本体は全体または一部分が弾性を有する高分子弾性体にて製作され、該フィルター枠本体は各種フィルターレンズをフィルター本体部にて挟持していることを特徴とする請求項１乃至請求項３に記載のデジタルカメラ用のフィルター枠。
【発明の詳細な説明】
【技術分野】
【０００１】
本発明は、デジタルカメラのレンズ鏡筒前面に装着される赤外線（ＵＶ）カットフィルター、減光（ＮＤ）フィルター、ソフト効果フィルター、並びにスポット効果フィルター、光条効果フィルターなど、種々のフィルターレンズを保持してレンズ鏡筒前面に装着するために開発されたフィルター枠に関するものである。
【０００２】
本発明は、特にデジタルカメラのレンズ鏡筒前面にアダプター枠を装着し、そのアダプター枠を介してフィルター枠をカメラレンズ鏡筒前面に簡単、且つ容易に装着したり脱着できる構成を有し、該フィルター枠は、デジタルカメラのズームレンズや広角レンズの鏡筒前面に装着してもケラレ現象が発生しないフィルター枠を提供するものである。
【背景技術】
【０００３】
近時、デジタル一眼レフカメラは、その操作性を追求してファインダーや液晶モニターにて各種フィルターレンズの使用効果をダイレクトに確認しながら撮影する方法が可能になってきた。またファィンダーや液晶モニターにおける視野率が１００％に近い新製品が数多く製品化されてきている。
【０００４】
斯くして、本発明は、最新のデジタルカメラのレンズ鏡筒前面にアダプター枠を装着し、該アダプター枠を介して各種フィルターレンズを保持した夫々のフィルター枠をカメラレンズ鏡筒前面に簡単、且つ容易に装着したり脱着できる構成を有し、該フィルター枠は、例えばデジタルカメラのズームレンズや広角レンズの鏡筒前面に装着してもケラレ現象が発生しないフィルター枠を提供するものである。
【０００５】
デジタルカメラのレンズ鏡筒前面、即ち、レンズ鏡筒の最前部内径側には、各種のフィルターやフードなど撮影用レンズのアタッチメントを装着するために雌ネジが螺設されており、他方装着する側のフィルターやフードなどのアタッチメント装着部側には雄ネジが螺設されており、フィルターやフードなどのアタッチメントはその雌ネジと雄ネジの螺合により装着している。
【０００６】
而して、前記フィルターなどを雌ネジと雄ネジからなるネジ部により螺合する着脱機構は、次の欠点がある。即ち、カメラレンズ鏡筒の最前部に螺設された雌ネジにフィルター枠の雄ネジを螺着する初めの嵌合操作は、意外と手間取るものであり、独特の勘と操作慣れが必要であり、且つ、ネジ部のネジピッチが細かいため装着するフィルター枠を何回も回転させて、所定位置に装着する必要がある。
【０００７】
従って、初めの雄ネジと雌ネジの嵌合操作を誤るとレンズ鏡筒とフィルター枠に螺設されたネジ山を壊してしまうこともあり、また当該ネジ部は、ネジの螺合操作であるために所定位置での螺着の加減を間違えるとネジ部が互いに圧着螺合されてしまい取り外しに苦労するという欠点を有しており、この課題を解決するためには、例えば、特開２００４−１０９７１９号公報（以下、特許文献１と称する）の発明がある。
【０００８】
特許文献１の発明は、ワンタッチで簡単、且つ容易に着脱可能なフィルター枠着脱機構を提供するものであり、フィルターを挟持したフィルター外枠と一体化して形成された挿着部を設け、該挿着部はカメラの撮影用レンズ鏡筒の最前部内径側に雌ネジ部に挿着可能な外径を持ち、該挿着部の外周部にスプリング嵌合溝を刻設し、該挿着部の外周部にスプリング嵌合溝を刻設し、該挿着部の外周部に刻設されたスプリング嵌合溝にリング形状で一カ所に切欠部を有するリング型スプリングを嵌着させ、該リング型スプリングが切欠部を介して前記スプリング嵌合溝内で円周方向のバネ作用をするのを利用して、前記フィルターの挿着部がカメラの撮影用レンズ鏡筒の最前部内径側に挿着されたときリング型スプリングが働いて最前部内側に係着してフィルターが撮影用レンズ鏡筒最前部に装着され、該フィルターの取り外しは前記挿着部のリング型スプリングの押圧力に対抗した力で抜脱するよう構成されている。
【０００９】
そして、特許文献１の発明は、リング型スプリングを利用してフィルター枠をカメラレンズ鏡筒の最前部内径側の雌ネジ部に挿着するものであり、確かにワンタッチで簡単、且つ容易に着脱できるカメラ用のレンズアタッチメント着脱機構を提供している。
【００１０】
然しながら、特許文献１の発明は、カメラの撮影用レンズ鏡筒の最前部内径側に螺設されたフィルターや、他のアタッチメント装着用の雌ネジ部を利用してフィルターや他のアタッチメントを装着するものであり、雌ネジ部にリング型スプリングを挿着する機構は、長年の使用により雌ネジ部のネジ山を摩耗させてしまいレンズ鏡筒先端部をキズ物にしてしまう欠点がある。
【００１１】
斯くして、デジタルカメラ用のフィルター枠において、広角レンズに装着してもケラレ現象が発生しにくい薄型形状を有し、フィルター枠が薄型でありながらデジタルカメラへの着脱操作がしやすいとされたフィルター枠の発明が、特開２００５−３０１１７３号公報（以下、特許文献２と称する）に開示されている。
【００１２】
特許文献２は、各種のフィルターレンズを嵌着するフィルター外周枠の前面（入射光側）に他の光学系アタッチメント螺合連結用雌ネジ部を設け、該雌ネジ外筒側が装着されるレンズ鏡筒より僅かに前面に突出した形状を有し、また、該フィルター外周枠の後方にはカメラ鏡筒に螺合連結される雄ネジ部を有しており、前記フィルターレンズはできるだけ後方に配置し前記雄ネジが構成する雄ネジ外筒と共にカメラ鏡筒内に配置したものであり、この構成によりレンズ鏡筒最前部にフィルター枠が装着された場合、該フィルター枠がレンズ鏡筒最前部で入射光側に突出する厚さを薄くすることが可能となり、フィルター枠の厚さやフィルターレンズ枠の縁部の形状が作用するケラレ現象を防止するというものである。
【００１３】
然しながら、特許文献２の発明は、ケラレ現象を防止するためにフィルターレンズをできるだけ後方に配置するものであり、従来のフィルター枠においては、寸法的にフィルターレンズを後方に配置する充分なゆとりがなく、必ずしも薄型形状のフィルターを提供することが難しく、ケラレ現象を確実に防止することができなかった。
【００１４】
また、特許文献２の発明において、カメラの撮影用レンズ鏡筒の最前部内径側に装着されるフィルター枠の装着方法は、レンズ鏡筒最前部内径側に螺設された雌ネジとフィルター枠に螺設された雄ネジによる螺合により行われるネジ式であるために独特の勘と操作慣れが必要であり、螺着の加減を間違えると当該ネジ部が互いに圧着螺合されてしまい取り外しに苦労するという欠点を有していた。
【先行技術文献】
【特許文献】
【００１５】
【特許文献１】特開２００４−１０９７１９号公報
【特許文献２】特開２００５−３０１１７３号公報
【発明の概要】
【発明が解決しようとする課題】
【００１６】
斯くして、本発明は、デジタルカメラのレンズ鏡筒前面に装着される赤外線（ＵＶ）カットフィルター、減光（ＮＤ）フィルター、ソフト効果フィルター、並びにスポット効果フィルター、光条効果フィルターなど、種々のフィルターレンズを保持してレンズ鏡筒最前部に装着するために開発されたフィルター枠に関するものである。
【００１７】
本発明が解決しようとする課題は、特許文献１及び特許文献２の発明に鑑みてなされたものであり、デジタルカメラのレンズ鏡筒最前部にアダプター枠を装着し、そのアダプター枠を介してフィルター枠をカメラレンズ鏡筒前面に簡単、且つ容易に装着したり脱着できる構成を有し、該フィルター枠は、デジタルカメラのズームレンズや広角レンズの鏡筒前面に装着してもケラレ現象が発生しないフィルター枠を提供するものである。
【課題を解決するための手段】
【００１８】
本発明において、デジタルカメラのレンズ鏡筒最前部の外径部に装着されレンズ鏡筒最前部に固着可能なリング形状のアダプター枠は、レンズ鏡筒最前部の外径を覆いレンズ鏡筒最前部の口径を付加して外径部を大きくすると共に、該リング形状のアダプター枠外径部の外周上にはフィルター枠係合用突起部と溝部を設けている。また前記アダプター枠に装着されるフィルター枠の対向面にはアダプター枠のフィルター枠係合用突起部と溝部に嵌合する内径部突起を内蔵するフィルター枠装着部とフィルターレンズを挟持するフィルター枠本体が一体化されており、前記フィルター枠本体のフィルター枠装着部はレンズ鏡筒最前部の外径を覆うようにキャッピィングする構成として前記レンズ鏡筒最前部の口径よりフィルター枠のフィルターレンズ口径を大きく形成し、前記アダプター枠のフィルター枠係合用突起部と溝部はフィルター枠のフィルター枠装着部の内径部突起に嵌合してアダプター枠前面に口径の大きなフィルター枠を着脱自在に装着する構成のデジタルカメラ用のフィルター枠を提供するものである。
【００１９】
また、本発明の実施例において、前記アダプター枠外径部の外周上に設けられるフィルター枠係合用突起部と溝部の形状は、アダプター枠外径部の外周上に設けられる断面半円形状の突起と凹部溝の組み合わせであり、該アダプター枠外径部の外周上に設けられるフィルター枠係合用突起部と溝部に嵌合するフィルター枠装着部の内径部突起は断面半円形状の突起でフィルター枠装着部の内径部の全周に連続して突出しているか、または２カ所から３カ所程度の部分的に突出した内径部突起を有しているデジタルカメラ用のフィルター枠を提供するものである。
【００２０】
更に、本発明の他の実施例において、前記アダプター枠外径部の外周上に設けられるフィルター枠係合用突起部と溝部の形状はアダプター枠外径部の外周上に設けられる断面テーパー状の突起と係合溝の組み合わせであり、該アダプター枠外径部の全周に連続して突出しているかまたは２カ所から３カ所程度の部分的に突出した外径部突起で構成され、該アダプター枠外径部の外周上に設けられるテーパー状の突起と係合溝に嵌合するフィルター枠装着部の内径部突起は断面半円形状の突起でフィルター枠装着部の内径部の全周に連続して突出した内径部突起を有しているデジタルカメラ用のフィルター枠を提供するものである。
【００２１】
そして、前記本発明を構成するアダプター枠、並びにフィルター枠装着部とフィルター枠本体は、全体または一部分が弾性を有する高分子弾性体にて製作され、該フィルター枠本体は各種フィルターレンズをフィルター本体部にて挟持しているデジタルカメラ用のフィルター枠を提供するものである。
【発明の効果】
【００２２】
斯くして、本発明は、デジタルカメラのレンズ鏡筒最前部に固着可能なリング形状のアダプター枠を装着し、該リング形状のアダプター枠外径部の外周上にはフィルター枠係合用突起部と溝部を設けており、前記アダプター枠に装着されるフィルター枠の対向面にはアダプター枠のフィルター枠係合用突起部と溝部に嵌合する内径部突起を内蔵するフィルター枠装着部とフィルターレンズを挟持するフィルター枠本体が設けられており、前記アダプター枠を介してフィルター枠をカメラレンズ鏡筒前面に簡単、且つ容易に装着したり脱着できるデジタルカメラ用のフィルター枠を提供することができる。
【００２３】
また、本発明において、レンズ鏡筒最前部に固着可能なリング形状のアダプター枠は、レンズ鏡筒最前部の外径を覆いレンズ鏡筒最前部の口径を付加して外径部を大きく構成しており、該リング形状のアダプター枠外径部にはアダプター枠外径部を覆うように形成したフィルター枠装着部が装着され、該フィルター枠装着部の前面にはフィルターレンズを挟持するフィルター枠本体が一体化されている構成で、前記アダプター枠前面に口径の大きなフィルター枠本体を装着することにより、その大口径を有するフィルター枠本体は、デジタルカメラのズームレンズや広角レンズの鏡筒前面に装着してもケラレ現象が発生しないフィルター枠になる。
【００２４】
そして、本発明において、アダプター枠、並びにフィルター枠装着部とフィルター枠本体は、全体または一部分が弾性を有する高分子弾性体にて製作され、該フィルター枠本体は各種フィルターレンズをフィルター本体部にて挟持しているために、従来のフィルター枠機構に比較して、フィルター枠装着用のネジ機構やフィルターレンズ押さえ縁、並びにフィルター固着枠等の組み立て部品が不要となるためにフィルターレンズ本体の厚さは薄くすることができ、このことは、前記大口径のフィルター枠本体を得ることと同様にデジタルカメラのズームレンズや広角レンズの鏡筒前面に装着してもケラレのでない撮影が可能である。
【図面の簡単な説明】
【００２５】
【図１】（Ａ）本発明の実施例１を説明する組立図。           （Ｂ）本発明の実施例１を説明する要部断面図。
【図２】（Ａ）実施例１の構成部材を説明する斜視断面図。（Ｂ）実施例１の図２（Ａ）Ａ―Ａ方向側面図。
【図３】（Ａ）本発明の実施例２を説明する組立図。（Ｂ）本発明の実施例２を説明する要部断面図。
【図４】（Ａ）実施例２の図３（Ａ）Ｂ−Ｂ方向側面図。（Ｂ）実施例２の図３（Ａ）Ｃ−Ｃ方向側断面図。
【発明を実施するための形態】
【００２６】
斯くして、本発明は、デジタルカメラのレンズ鏡筒前面に装着される赤外線（ＵＶ）カットフィルター、減光（ＮＤ）フィルター、ソフト効果フィルター、並びにスポット効果フィルター、光条効果フィルターなど、種々のフィルターレンズを保持してレンズ鏡筒最前部に装着するために開発されたフィルター枠に関するものである。
【００２７】
本発明が解決しようとする課題は、特許文献１及び特許文献２の発明に鑑みてなされたものであり、デジタルカメラのレンズ鏡筒最前部にアダプター枠を装着し、そのアダプター枠を介してフィルター枠をカメラレンズ鏡筒前面に簡単、且つ容易に装着したり脱着できる構成を有し、該フィルター枠は、デジタルカメラのズームレンズや広角レンズの鏡筒前面に装着してもケラレ現象が発生しないフィルター枠を提供するものである。
【００２８】
本発明において、デジタルカメラのレンズ鏡筒最前部の外径部に装着されレンズ鏡筒最前部に固着可能なリング形状のアダプター枠は、レンズ鏡筒最前部の外径を覆いレンズ鏡筒最前部の口径を付加して外径部を大きくすると共に、該リング形状のアダプター枠外径部の外周上にはフィルター枠係合用突起部と溝部を設けている。また前記アダプター枠に装着されるフィルター枠の対向面にはアダプター枠のフィルター枠係合用突起部と溝部に嵌合する内径部突起を内蔵するフィルター枠装着部とフィルターレンズを挟持するフィルター枠本体が一体化されており、前記フィルター枠本体のフィルター枠装着部はレンズ鏡筒最前部の外径を覆うようにキャッピィングする構成として前記レンズ鏡筒最前部の口径よりフィルター枠のフィルターレンズ口径を大きく形成し、前記アダプター枠のフィルター枠係合用突起部と溝部はフィルター枠のフィルター枠装着部の内径部突起に嵌合してアダプター枠前面に口径の大きなフィルター枠を着脱自在に装着する構成が好ましい。
【００２９】
また、本発明の実施例において、前記アダプター枠外径部の外周上に設けられるフィルター枠係合用突起部と溝部の形状は、アダプター枠外径部の外周上に設けられる断面半円形状の突起と凹部溝の組み合わせであり、該アダプター枠外径部の外周上に設けられるフィルター枠係合用突起部と溝部に嵌合するフィルター枠装着部の内径部突起は断面半円形状の突起でフィルター枠装着部の内径部の全周に連続して突出しているか、または２カ所から３カ所程度の部分的に突出した内径部突起を有していることが好ましい。
【００３０】
更に、本発明の他の実施例において、前記アダプター枠外径部の外周上に設けられるフィルター枠係合用突起部と溝部の形状はアダプター枠外径部の外周上に設けられる断面テーパー状の突起と係合溝の組み合わせであり、該アダプター枠外径部の全周に連続して突出しているかまたは２カ所から３カ所程度の部分的に突出した外径部突起で構成され、該アダプター枠外径部の外周上に設けられるテーパー状の突起と係合溝に嵌合するフィルター枠装着部の内径部突起は断面半円形状の突起でフィルター枠装着部の内径部の全周に連続して突出した内径部突起を有していることが好ましい。
【００３１】
そして、前記本発明を構成するアダプター枠、並びにフィルター枠装着部とフィルター枠本体は、全体または一部分が弾性を有する高分子弾性体にて製作され、該フィルター枠本体は各種フィルターレンズをフィルター本体部にて挟持している構成が好ましい。
【００３２】
斯くして、本発明は、デジタルカメラのレンズ鏡筒最前部に固着可能なリング形状のアダプター枠を装着し、該リング形状のアダプター枠外径部の外周上にはフィルター枠係合用突起部と溝部を設けており、前記アダプター枠に装着されるフィルター枠の対向面にはアダプター枠のフィルター枠係合用突起部と溝部に嵌合する内径部突起を内蔵するフィルター枠装着部とフィルターレンズを挟持するフィルター枠本体が設けられており、前記アダプター枠を介してフィルター枠をカメラレンズ鏡筒前面に簡単、且つ容易に装着したり脱着できるデジタルカメラ用のフィルター枠を提供することができる。
【００３３】
また、本発明において、レンズ鏡筒最前部に固着可能なリング形状のアダプター枠は、レンズ鏡筒最前部の外径を覆いレンズ鏡筒最前部の口径を付加して外径部を大きく構成しており、該リング形状のアダプター枠外径部にはアダプター枠外径部を覆うように形成したフィルター枠装着部が装着され、該フィルター枠装着部の前面にはフィルターレンズを挟持するフィルター枠本体が一体化されている構成で、前記アダプター枠前面に口径の大きなフィルター枠本体を装着することにより、その大口径を有するフィルター枠本体は、デジタルカメラのズームレンズや広角レンズの鏡筒前面に装着してもケラレ現象が発生しないフィルター枠になる。
【００３４】
そして、本発明において、アダプター枠、並びにフィルター枠装着部とフィルター枠本体は、全体または一部分が弾性を有する高分子弾性体にて製作され、該フィルター枠本体は各種フィルターレンズをフィルター本体部にて挟持しているために、従来のフィルター枠機構に比較して、フィルター枠装着用のネジ機構やフィルターレンズ押さえ縁、並びにフィルター固着枠等の組み立て部品が不要となるためにフィルターレンズ本体の厚さは薄くすることができ、このことは、前記大口径のフィルター枠本体を得ることと同様にデジタルカメラのズームレンズや広角レンズの鏡筒前面に装着してもケラレのない撮影が可能である。
【実施例１】
【００３５】
図１（Ａ）は、本発明の実施例１を説明する組立図、図１（Ｂ）は、本発明の実施例１を説明する要部断面図、図２（Ａ）は、実施例１の構成部材を説明する斜視断面図、図２（Ｂ）は、実施例１の図２（Ａ）におけるＡ―Ａ方向側面図である。
【００３６】
図１及び図２において、１はデジタルカメラのレンズ鏡筒、２は本発明の部材を形成するアダプター枠、３は同様に本発明の部材を構成するフィルター枠であり、該フィルター枠３はフィルター枠装着部４とフィルター枠本体５からから形成され、フィルター枠３は光軸Ｃ上に図１（Ａ）に示すごとく配列されている。尚、図１（Ａ）、（Ｂ）において、６はフィルターレンズ、７はレンズ鏡筒側、８は入射光側を示している。
【００３７】
而して、前記デジタルカメラのレンズ鏡筒１のレンズ鏡筒最前部９の内径部１０には、フィルターやフードなどのアタッチメントを装着するための雌ネジ１１が螺設されている。また、レンズ鏡筒最前部９に雌ネジ１１に雄ネジ１２を介にて固着されるリング形状のアダプター枠２は、レンズ鏡筒最前部９の外径を覆う形状を有してアダプター枠２の外径部１３の直径を大きく構成しており、該リング形状のアダプター枠２の外径部１３の外周上にはフィルター枠係合用突起部１４と溝部１５を設けている。
【００３８】
また、前記アダプター枠２に装着されるフィルター枠３の対向面１６には、アダプター枠２のフィルター枠係合用突起部１４と溝部１５に嵌合する内径部突起１７（または１７ａ、１７ｂ）を内蔵したフィルター枠装着部４と、フィルターレンズ６を挟持するフィルター枠本体５が一体化されており、前記フィルター枠本体５のフィルター枠装着部４はレンズ鏡筒最前部９の外径部１３を覆うようにキャッピィングする構成として、前記レンズ鏡筒最前部９の口径よりフィルター枠３のフィルターレンズ６の口径を大きく形成しており、前記アダプター枠２のフィルター枠係合用突起部１４と溝部１５は、フィルター枠３のフィルター枠装着部４の内径部突起１７に嵌合してアダプター枠２の前面に口径の大きなフィルター枠３を着脱自在に装着するものである。  
【００３９】
前記アダプター枠２の外径部１３の外周上に設けられるフィルター枠係合用突起部１４と溝部１５の形状は、アダプター枠２の外径部１３の外周上に設けられる断面半円形状の突起と凹部溝の組み合わせであり、該アダプター枠２のフィルター枠係合用突起部１４と溝部１５に嵌合するフィルター枠装着部４の内径部突起１７は、断面半円形状の突起でフィルター枠装着部４の内径部１０の全周に連続して突出しているか、または図２（Ａ）、（Ｂ）に示すごとく上下２カ所の内径部突起１７ａ、１７ｂとして構成しても良く、更に、内径部突起１７ａ、１７ｂ、１７ｃ（図示せず）は３カ所程度の部分的に突出した内径部突起であっても良い。
【００４０】
そして、前記アダプター枠２へのフィルター枠３の装着は、アダプター枠２の外径部１３の外周上に設けられるフィルター枠係合用突起部１４と溝部１５にフィルター枠３に設けられたフィルター枠装着部４の内径部突起１７が「カチッ」とクリック感を有して嵌合するものであり、また、その脱着動作は、アダプター枠２を支承してフィルター枠３を入射光側８に引っ張ることにより可能であり、該アダプター枠２からフィルター枠３を脱着する操作は、フィルター枠装着部４が弾性を有する高分子弾性体にて製作されていることにより容易に行える。
【００４１】
斯くして、実施例１は、デジタルカメラのレンズ鏡筒最前部９に固着可能なリング形状のアダプター枠２を装着し、該リング形状のアダプター枠２の外径部１３の外周上にはフィルター枠係合用突起部１４と溝部１５を設けており、前記アダプター枠２に装着されるフィルター枠３の対向面１６にはアダプター枠２のフィルター枠係合用突起部１４と溝部１５に嵌合する内径部突起１７を内蔵するフィルター枠装着部４とフィルターレンズ６を挟持するフィルター枠本体５が設けられており、前記アダプター枠２を介してフィルター枠３をカメラレンズ鏡筒１のレンズ鏡筒最前部９に簡単、且つ容易に装着したり、脱着できるデジタルカメラ用のフィルター枠を提供することができる。
【００４２】
また、実施例１において、レンズ鏡筒最前部９に固着可能なリング形状のアダプター枠２は、レンズ鏡筒最前部９の外径を覆う形状を有してアダプター枠２の外径部１３の直径を大きく構成しており、該リング形状のアダプター枠２の外径部１３にはアダプター枠２の外径部１３を覆うように形成したフィルター枠装着部４が装着され、該フィルター枠装着部４の前面（入射光側８）にはフィルターレンズ６を挟持するフィルター枠本体５が一体化されている構成で、前記アダプター枠２の前面に口径の大きなフィルター枠本体５を任意に装着することできるので、その大口径を有するフィルター枠本体５は、デジタルカメラのズームレンズや広角レンズの鏡筒１の前面に装着してもケラレ現象が発生しないフィルター枠になる。
【００４３】
そして、実施例１において、アダプター枠２、並びにフィルター枠装着部４とフィルター枠本体５は、全体または一部分が弾性を有する高分子弾性体にて製作され、該フィルター枠本体５は各種フィルターレンズをフィルター本体５にて挟持しているために、従来のフィルター枠機構に比較して、フィルター枠装着用のネジ機構やフィルターレンズ押さえ縁、並びにフィルター固着枠等の組み立て部品が不要となり、フィルター枠本体５の厚さＴを薄く製作することができるので、このことは、前記大口径のフィルター枠本体５を得ることと同様にデジタルカメラのズームレンズや広角レンズの鏡筒１の前面に装着してもケラレのない撮影が可能である。
【実施例２】
【００４４】
図３（Ａ）は、本発明の実施例２を説明する組立図、図３（Ｂ）は、本発明の実施例２を説明する要部断面図、図４（Ａ）は、実施例２の説明図で図３（Ａ）におけるＢ−Ｂ方向側面図、図４（Ｂ）は、実施例２の説明図で図３（Ａ）におけるＣ―Ｃ方向側面図である。
【００４５】
図３及び図４において、１はデジタルカメラのレンズ鏡筒、２は本発明の部材を形成するアダプター枠、３は同様に本発明の部材を構成するフィルター枠であり、該フィルター枠３はフィルター枠装着部４とフィルター枠本体５からから形成され、フィルター枠３は光軸Ｃ上に図３（Ａ）に示すごとく配列されている。尚、図３（Ａ）、（Ｂ）において、６はフィルターレンズ、７はレンズ鏡筒側、８は入射光側を示している。
【００４６】
而して、デジタルカメラのレンズ鏡筒１のレンズ鏡筒最前部９には、ビス１８ａ、１８ｂにて固着されるリング形状のアダプター枠２が装着可能で、該アダプター枠２はレンズ鏡筒最前部９の外径を覆う形状を有してアダプター枠２の外径部１３の直径を大きく構成しており、該リング形状のアダプター枠２の外径部１３の外周上には、断面がテーパー状の突起１９と係合溝２０が設けてあり、該断面がテーパー状の突起１９と係合溝２０は、アダプター枠２の外径部１３の全周に連続して突出しているか、或いは図４（Ａ）に示す如く円周上の等分された３カ所にテーパー突起１９ａ、１９ｂ、１９ｃと係合溝２０ａ、２０ｂ、２０ｃのように配置されて設けられている。
【００４７】
そして、前記アダプター枠２の外径部１３の外周上に設けられるフィルター枠装着部４の内径部突起２１は断面半円形状の突起でフィルター枠装着部４の内径部１０の全周に連続して突出した内径部突起２０である。
【００４８】
斯くして、実施例２の構成は、アダプター枠２の外径部１３の外周上に設けられるフィルター枠係合用突起部１４の形状はアダプター枠２の外径部１３の外周上に設けられる断面がテーパー状の突起１９ａ、１９ｂ、１９ｃと係合溝２０ａ、２０ｂ、２０ｃの組み合わせであり、該アダプター枠２の外径部１３の全周に連続して突出しているか、または２カ所から３カ所程度の部分的に突出（図４（Ａ）に示す如く）した外径部突起で構成され、該アダプター枠２の外径部１３の外周上に設けられテーパー状の突起１９ａ、１９ｂ、１９ｃと係合溝２０ａ、２０ｂ、２０ｃに嵌合するフィルター枠装着部４の内径部突起２１は、断面半円形状の突起でフィルター枠装着部４の内径部１０の全周に連続して突出した内径部突起２１により構成されている。
【００４９】
また、図４（Ａ）のアダプター枠２の入射光側８には、等分に配置されたカム係合溝２２ａ、２２ｂ、２２ｃが刻設されており、該カム係合溝２２ａ、２２ｂ、２２ｃには、フィルター枠装着部４が装着された際にフィルター枠４の内壁縁部２３に設けられたカム突起２４ａ、２４ｂ、２４ｃが図３（Ｂ）に示す如く係合している。従って、アダプター枠２に装着されたフィルター枠３をアダプター枠２より脱着する場合には、フィルター枠３を光軸Ｃを中心に回動することによりカム突起２４ａ、２４ｂ、２４ｃがアダプター枠２に設けられた前記カム係合溝２２ａ、２２ｂ、２２ｃ内を摺動してカム突起２４ａ、２４ｂ、２４ｃが夫々カム係合溝２２ａ、２２ｂ、２２ｃより外径部１３上の位置に移動することで、前記フィルター枠装着部４を押し広げて、内径部突起２１をテーパー状の突起１９ａ、１９ｂ、１９ｃと係合溝２０ａ、２０ｂ、２０ｃより解放してアダプター枠２よりフィルター枠３が脱着される。
【００５０】
更に、前記アダプター枠２へのフィルター枠３の装着は、アダプター枠２の外径部１３の外周上に設けられるテーパー状の突起１９，１９ａ、１９ｂ、１９ｃと係合溝２０．２０ａ、２０ｂ、２０ｃにフィルター枠３に設けられたフィルター枠装着部４の内径部突起２１が「カチッ」とクリック感を有して嵌合するものであり、また、該アダプター枠２からフィルター枠３を脱着する操作は、上述の如くカム係合溝２２ａ、２２ｂ、２２ｃとカム突起２４ａ、２４ｂ、２４ｃの組み合わせにて行われ、該脱着の動作部となるフィルター枠装着部４が弾性を有する高分子弾性体にて製作されていることにより容易に行える。
【００５１】
斯くして、実施例２は、デジタルカメラのレンズ鏡筒最前部９に固着可能なリング形状のアダプター枠２を装着し、該リング形状のアダプター枠２の外径部１３の外周上にはテーパー状の突起１９、１９ａ、１９ｂ、１９ｃと係合溝２０、２０ａ、２０ｂ、２０ｃを設けており、前記アダプター枠２に装着されるフィルター枠３の対向面１６にはアダプター枠２のテーパー状の突起１９、１９ａ、１９ｂ、１９ｃと係合溝２０、２０ａ、２０ｂ、２０ｃに嵌合する内径部突起２１を内蔵するフィルター枠装着部４とフィルターレンズ６を挟持するフィルター枠本体５が設けられており、前記アダプター枠２を介してフィルター枠３をカメラレンズ鏡筒１のレンズ鏡筒最前部９に簡単、且つ容易に装着したり、脱着できるデジタルカメラ用のフィルター枠を提供することができる。
【００５２】
また、実施例２において、レンズ鏡筒最前部９に固着可能なリング形状のアダプター枠２は、レンズ鏡筒最前部９の外径を覆いレンズ鏡筒最前部９の口径を付加して外径部１３を大きく構成しており、該リング形状のアダプター枠２の外径部１３にはアダプター枠２の外径部１３を覆うように形成したフィルター枠装着部４が装着され、該フィルター枠装着部４の前面（入射光側８）にはフィルターレンズ６を挟持するフィルター枠本体５が一体化されている構成で、前記アダプター枠２の前面に口径の大きなフィルター枠本体５を任意に装着することができるのでその大口径を有するフィルター枠本体５は、デジタルカメラのズームレンズや広角レンズの鏡筒１の前面に装着してもケラレ現象が発生しないフィルター枠になる。
【００５３】
そして、実施例２において、アダプター枠２、並びにフィルター枠装着部４とフィルター枠本体５は、全体、または一部分が弾性を有する高分子弾性体にて製作され、該フィルター枠本体５は各種フィルターレンズをフィルター本体５にて挟持しているために、従来のフィルター枠機構に比較して、フィルター枠装着用のネジ機構やフィルターレンズ押さえ縁、並びにフィルター固着枠等の組み立て部品が不要となり、フィルター枠本体５の厚さＴを薄く製作することができるので、このことは、前記大口径のフィルター枠本体５を得ることと同様にデジタルカメラのズームレンズや広角レンズの鏡筒１の前面に装着してもケラレのない撮影が可能である。
【符号の説明】
【００５４】
１  レンズ鏡筒
２  アダプター枠
３  フィルター枠
４  フィルター枠装着部
５  フィルター枠本体
６  フィルターレンズ
７  レンズ鏡筒側
８  入射光側
９  レンズ鏡筒最前部
１０  内径部
１１  雌ネジ
１２  雄ネジ
１３  外径部
１４  フィルター枠係合用突起部
１５  溝部
１６  対向面
１７、１７ａ、１７ｂ、１７ｃ  内径部突起
１８ａ、１８ｂ  ビス
１９、１９ａ、１９ｂ、１９ｃ  テーパー状の突起
２０、２０ａ、２０ｂ、２０ｃ  係合溝  
２１  内径部突起
２２ａ、２２ｂ、２２ｃ  カム係合溝
２３  内壁縁部
２４ａ、２４ｂ、２５ｃ  カム突起
Ｃ  光軸
Ｔ  フィルター本体部の厚さ
【図１】
0005449477.tif 000002
【図２】
0005449477.tif 000003
【図３】
0005449477.tif 000004
【図４】
0005449477.tif 000005